(57)【要約】【課題】役目が異なる２種類の表示装置のいずれかに割り当てられたメッセージを表示する。【解決手段】表示装置１０は、呼び出し用表示装置１０ａまたは管理用表示装置１０ｄとして動作可能である。管理用表示装置１０ｄは呼び出し用表示装置１０ａを管理する。メッセージ判定部２６は、呼び出し用表示装置１０ａ用のメッセージ、および、管理用表示装置１０ｄ用のメッセージのいずれかを選択する。メッセージ表示部２４は、メッセージ判定部２６により選択されたメッセージを表示する。【選択図】図１
2020144263.tif 000002
【特許請求の範囲】
【請求項１】
操作者に操作される呼び出し用表示装置、または、管理者に操作される管理用表示装置として動作可能な表示装置であって、
前記管理用表示装置は前記呼び出し用表示装置を管理し、
前記表示装置は、
コンテンツを表示するコンテンツ表示部と、
前記表示装置が、前記呼び出し用表示装置および前記管理用表示装置のいずれかとして動作するように設定する処理を行う装置設定部と、
前記操作者または前記管理者による操作を受付ける操作部と、
前記操作部が受付けた操作である入力操作に対応する操作ビット信号を、外部メモリに記憶させる通信部とを備え、
前記通信部は、前記呼び出し用表示装置の前記操作部が受付けた前記入力操作に対応する前記操作ビット信号と、前記管理用表示装置の前記操作部が受付けた前記入力操作に対応する前記操作ビット信号とを区別可能なように、当該操作ビット信号を前記外部メモリに記憶させ、
前記通信部は、前記外部メモリに記憶されている前記操作ビット信号である保存ビット信号を読み出し、
前記表示装置は、さらに、
前記通信部が読み出した前記保存ビット信号に対応するメッセージとして、前記呼び出し用表示装置用のメッセージ、および、前記管理用表示装置用のメッセージのいずれかを選択するメッセージ判定部と、
前記メッセージ判定部により選択された前記メッセージを表示するメッセージ表示部とを備える、
表示装置。
【請求項２】
前記入力操作が、前記メッセージ表示部により表示されている前記メッセージを消去するための操作である場合、当該メッセージ表示部は、当該メッセージ表示部が表示している当該メッセージを消去する
請求項１に記載の表示装置。
【請求項３】
前記メッセージ判定部が選択対象とする前記メッセージは、テキストで表現される
請求項１または２に記載の表示装置。
【請求項４】
前記メッセージ判定部が選択対象とする前記メッセージは、動画像または静止画像に示される
請求項１から３のいずれか１項に記載の表示装置。
【請求項５】
請求項１から４のいずれか１項に記載の前記表示装置を複数備える表示システムであって、
複数の前記表示装置は、
前記呼び出し用表示装置として動作する１台以上の表示装置と、
前記管理用表示装置として動作する１台の表示装置とを含み、
前記表示システムは、
（ｎ１）前記複数の表示装置のいずれかが前記操作ビット信号を前記外部メモリに記憶させる処理、
（ｎ２）前記外部メモリに記憶されている前記操作ビット信号である前記保存ビット信号をクリアする処理、および、
（ｎ３）前記外部メモリから前記保存ビット信号を読み出す処理
の全てまたは一部を行う
表示システム。
【請求項６】
請求項５に記載の前記表示システムが行う表示制御方法であって、
前記呼び出し用表示装置の前記操作部が受付けた前記入力操作に基づいて、当該呼び出し用表示装置の前記通信部が、前記外部メモリに前記操作ビット信号を記憶させる要求入力ステップと、
前記要求入力ステップの後に行われる要求メッセージ表示ステップとを備え、
前記要求メッセージ表示ステップでは、
（ａ１）前記呼び出し用表示装置の前記通信部が、当該呼び出し用表示装置の前記操作部が受付けた前記入力操作に対応する前記保存ビット信号を前記外部メモリから読み出し、
（ａ２）前記呼び出し用表示装置の前記メッセージ表示部が前記保存ビット信号に対応する、当該呼び出し用表示装置用のメッセージを表示し、
（ｂ１）前記管理用表示装置の前記通信部が、前記要求入力ステップにおいて前記外部メモリに記憶された前記操作ビット信号である前記保存ビット信号を当該外部メモリから読み出し、
（ｂ２）前記管理用表示装置の前記メッセージ表示部が読み出された前記保存ビット信号に対応する、当該管理用表示装置用のメッセージを表示する
表示制御方法。
【請求項７】
前記表示制御方法は、さらに、
前記管理用表示装置の前記通信部が、当該管理用表示装置の前記操作部が受付けた前記入力操作に対応する前記操作ビット信号を前記外部メモリに記憶させる応答入力ステップと、
前記応答入力ステップの後に行われる応答メッセージ表示ステップとを備え、
前記応答メッセージ表示ステップでは、
（ａ３）前記呼び出し用表示装置の前記通信部が、前記応答入力ステップにおいて前記外部メモリに記憶された前記操作ビット信号である前記保存ビット信号を当該外部メモリから読み出し、
（ａ４）前記呼び出し用表示装置の前記メッセージ表示部が、読み出された前記保存ビット信号に対応する、当該呼び出し用表示装置用のメッセージを表示する
請求項６に記載の表示制御方法。
【請求項８】
前記表示制御方法は、さらに、
クリア入力ステップを備え、
前記クリア入力ステップでは、
（ｃ１）前記呼び出し用表示装置の前記操作部が受付けた前記入力操作に基づいて、当該呼び出し用表示装置の前記通信部が、前記外部メモリのうち、指定された領域に記憶されている全ての前記保存ビット信号をクリアする処理、および、
（ｃ２）前記管理用表示装置の前記操作部が受付けた前記入力操作に基づいて、当該管理用表示装置の前記通信部が、前記外部メモリのうち、指定された領域に記憶されている全ての前記保存ビット信号をクリアする処理
のいずれかが行われ、
前記表示制御方法は、さらに、
前記クリア入力ステップの後に行われるメッセージ消去ステップを備え、
前記メッセージ消去ステップでは、
前記呼び出し用表示装置および前記管理用表示装置の各々の前記メッセージ表示部が、当該メッセージ表示部が表示している前記メッセージを消去する
請求項６または７に記載の表示制御方法。
【発明の詳細な説明】
【技術分野】
【０００１】
本発明は、コンテンツを表示する表示装置、表示システムおよび表示制御方法に関する。
【背景技術】
【０００２】
近年、デジタルサイネージシステム（Ｄｉｇｉｔａｌ  Ｓｉｇｎａｇｅ  Ｓｙｓｔｅｍ）が急速に普及している。デジタルサイネージシステムは、例えば、店舗、オフィス、レストラン、工場などの建屋内に導入され、設置されている。デジタルサイネージシステムでは、表示装置が、例えば、顧客向けの製品広告の映像を表示する。また、デジタルサイネージシステムでは、表示装置が、例えば、従業員向けの社内情報を表示する。
【０００３】
特許文献１には、デジタルサイネージシステムとしての情報処理システムの構成（以下、「関連構成Ａ」ともいう）が開示されている。関連構成Ａでは、配信サーバが、コンテンツデータを、ネットワークを介して、複数の表示コントローラへ選択的に送信する。コンテンツデータを受信した各表示コントローラは受信した当該コンテンツデータを再生する。
【先行技術文献】
【特許文献】
【０００４】
【特許文献１】特許第４６５０５４７号公報
【発明の概要】
【発明が解決しようとする課題】
【０００５】
デジタルサイネージシステム等の表示システムは、映像としてのコンテンツを表示する複数の表示装置を含む。当該複数の表示装置の各々は、役目が異なる２種類の表示装置のいずれかとして動作する場合がある。例えば、２種類の表示装置の一方は、２種類の表示装置の他方を管理する。当該２種類の表示装置の各々は、当該表示装置に割り当てられたメッセージを表示する機能を有する。
【０００６】
このような構成における各表示装置は、２種類の表示装置のいずれかに割り当てられたメッセージを表示することが要求される。関連構成Ａでは、この要求を満たすことはできない。
【０００７】
本発明は、このような問題を解決するためになされたものであり、役目が異なる２種類の表示装置のいずれかに割り当てられたメッセージを表示することが可能な表示装置等を提供することを目的とする。
【課題を解決するための手段】
【０００８】
上記目的を達成するために、本発明の一態様に係る表示装置は、操作者に操作される呼び出し用表示装置、または、管理者に操作される管理用表示装置として動作可能な装置である。前記管理用表示装置は前記呼び出し用表示装置を管理し、前記表示装置は、コンテンツを表示するコンテンツ表示部と、前記表示装置が、前記呼び出し用表示装置および前記管理用表示装置のいずれかとして動作するように設定する処理を行う装置設定部と、前記操作者または前記管理者による操作を受付ける操作部と、前記操作部が受付けた操作である入力操作に対応する操作ビット信号を、外部メモリに記憶させる通信部とを備え、前記通信部は、前記呼び出し用表示装置の前記操作部が受付けた前記入力操作に対応する前記操作ビット信号と、前記管理用表示装置の前記操作部が受付けた前記入力操作に対応する前記操作ビット信号とを区別可能なように、当該操作ビット信号を前記外部メモリに記憶させ、前記通信部は、前記外部メモリに記憶されている前記操作ビット信号である保存ビット信号を読み出し、前記表示装置は、さらに、前記通信部が読み出した前記保存ビット信号に対応するメッセージとして、前記呼び出し用表示装置用のメッセージ、および、前記管理用表示装置用のメッセージのいずれかを選択するメッセージ判定部と、前記メッセージ判定部により選択された前記メッセージを表示するメッセージ表示部とを備える。
【発明の効果】
【０００９】
本発明によれば、表示装置は、呼び出し用表示装置または管理用表示装置として動作可能である。前記管理用表示装置は前記呼び出し用表示装置を管理する。メッセージ判定部は、前記呼び出し用表示装置用のメッセージ、および、前記管理用表示装置用のメッセージのいずれかを選択する。メッセージ表示部は、前記メッセージ判定部により選択された前記メッセージを表示する。
【００１０】
すなわち、呼び出し用表示装置および管理用表示装置は、役目が異なる２種類の表示装置である。また、表示装置のメッセージ表示部は、前記呼び出し用表示装置用のメッセージ、および、前記管理用表示装置用のメッセージのいずれかを表示する。
【００１１】
これにより、表示装置は、役目が異なる２種類の表示装置のいずれかに割り当てられたメッセージを表示することができる。
【図面の簡単な説明】
【００１２】
【図１】実施の形態１に係る表示システムの構成を示すブロック図である。
【図２】呼び出し用表示装置として動作する表示装置の構成を示すブロック図である。
【図３】管理用表示装置として動作する表示装置の構成を示すブロック図である。
【図４】実施の形態１に係る表示装置が使用するアドレスデータの一例を示す図である。
【図５】実施の形態１に係る呼び出し用表示装置が使用する操作データの一例を示す図である。
【図６】実施の形態１に係る呼び出し用表示装置が使用するメッセージデータの一例を示す図である。
【図７】実施の形態１に係る管理用表示装置が使用する操作データの一例を示す図である。
【図８】実施の形態１に係る管理用表示装置が使用するメッセージデータの一例を示す図である。
【図９】実施の形態１に係る表示システムが行う表示制御処理を説明するための図である。
【図１０】実施の形態１に係る表示制御処理のフローチャートである。
【図１１】実施の形態１に係る表示システムが行う表示制御処理を説明するための図である。
【図１２】実施の形態１に係る表示制御処理のフローチャートである。
【図１３】実施の形態１に係る表示システムが行う表示制御処理を説明するための図である。
【図１４】実施の形態１に係る表示制御処理のフローチャートである。
【図１５】実施の形態１に係る表示装置の特徴的な機能構成を示すブロック図である。
【発明を実施するための形態】
【００１３】
以下、図面を参照しつつ、実施の形態について説明する。以下の図面では、同一の各構成要素には同一の符号を付してある。同一の符号が付されている各構成要素の名称および機能は同じである。したがって、同一の符号が付されている各構成要素の一部についての詳細な説明を省略する場合がある。
【００１４】
＜実施の形態１＞
図１は、実施の形態１に係る表示システム１００の構成を示すブロック図である。表示システム１００は、例えば、情報案内表示機能および呼び出し機能を有するデジタルサイネージシステムである。
【００１５】
図１を参照して、表示システム１００は、複数の表示装置１０と、外部メモリ２と、通信網３とを備える。図１では、一例として、４台の表示装置１０が示されている。各表示装置１０は、操作者に操作される呼び出し用表示装置、または、管理者に操作される管理用表示装置として動作可能な装置である。呼び出し用表示装置および管理用表示装置は、役目が異なる２種類の表示装置である。例えば、管理用表示装置は呼び出し用表示装置を管理する装置である。
【００１６】
表示システム１００は、呼び出し用表示装置として動作する１台以上の表示装置１０と、管理用表示装置として動作する１台の表示装置１０とを含む。
【００１７】
本実施の形態では、一例として、３台の表示装置１０の各々が、呼び出し用表示装置として動作する。以下においては、呼び出し用表示装置として動作する３台の表示装置１０を、それぞれ、呼び出し用表示装置１０ａ，１０ｂ，１０ｃともいう。
【００１８】
また、本実施の形態では、一例として、１台の表示装置１０が、管理用表示装置として動作する。以下においては、管理用表示装置として動作する１台の表示装置１０を、「管理用表示装置１０ｄ」ともいう。すなわち、本実施の形態の表示システム１００は、呼び出し用表示装置１０ａ，１０ｂ，１０ｃと、管理用表示装置１０ｄとを含む。なお、表示システム１００に含まれる表示装置１０の数は４に限定されず、２、３、または５以上であってもよい。
【００１９】
外部メモリ２は、図示しない外部記憶装置などに内蔵されている。外部メモリ２は、データを記憶している。外部メモリ２は、例えば、一時記憶メモリおよび不揮発性メモリを含む。一時記憶メモリは、例えば、指定されたアドレスで特定される領域の値に、外部からアクセス可能なＲＡＭ（Ｒａｎｄｏｍ  Ａｃｃｅｓｓ  Ｍｅｍｏｒｙ）である。不揮発性メモリは、例えば、ＨＤＤ（Ｈａｒｄ  Ｄｉｓｃ  Ｄｒｉｖｅ）である。
【００２０】
以下においては、外部メモリ２に含まれるビットを、「ビットｎ」と表現する。「ｎ」は整数である。例えば、ｎが３である「ビットｎ」は、「ビット３」と表現する。また、以下においては、ビットｎを示す信号を、ビット信号ともいう。
【００２１】
４台の表示装置１０の各々が外部メモリ２にアクセス可能なように、通信網３には、当該４台の表示装置１０と当該外部メモリ２とが接続されている。表示装置１０は、外部メモリ２にデータを記憶させることができる。外部メモリ２は、表示装置１０から要求されたデータを当該表示装置１０へ送信する。
【００２２】
詳細は後述するが、表示システム１００は、記憶処理、クリア処理および読み出し処理の全てまたは一部を行う。記憶処理は、複数の表示装置１０のいずれかが後述の操作ビット信号を外部メモリ２に記憶させる処理である。クリア処理は、外部メモリ２に記憶されている操作ビット信号である後述の保存ビット信号をクリアする処理である。読み出し処理は、外部メモリ２から保存ビット信号を読み出す処理である。
【００２３】
次に、呼び出し用表示装置として動作する表示装置１０（呼び出し用表示装置１０ａ）の構成について説明する。図２は、呼び出し用表示装置として動作する表示装置１０の構成を示すブロック図である。
【００２４】
図２を参照して、表示装置１０は、記憶部１１と、通信部１２と、表示部１３と、情報処理部１４と、操作部１５と、装置設定部１６とを備える。操作部１５は、操作者または管理者による操作を受付ける。操作部１５は、例えば、リモコンである。なお、操作部１５は、表示装置１０に直接接続されたボタンであってもよい。また、操作部１５は、ＡＩスピーカーを用いた音声入力を受付けるユニットであってもよい。また、操作部１５は、リモコンなどの直接操作ではなく、表示装置１０に表示されるメニュー画面に対する選択等の指示を受付けてもよい。以下においては、操作部１５が受付けた操作を、「入力操作」ともいう。
【００２５】
記憶部１１は、ＲＡＭなどの一時記憶メモリとＨＤＤなどの不揮発性メモリとを含む。記憶部１１は、基本プログラム１７、コンテンツデータ１８、放映スケジュール１９、操作データ２０、メッセージデータ２１およびアドレスデータ２２を記憶している。
【００２６】
基本プログラム１７は、表示装置１０全体の制御を行うためのプログラムである。コンテンツデータ１８は、例えば、再生対象となるコンテンツのデータである。放映スケジュール１９は、コンテンツを再生するスケジュールである。
【００２７】
操作データ２０は、入力操作と、外部メモリ２へ送信対象となる操作ビット信号とを関連付けて示すデータである。操作ビット信号は、ビット信号である。以下においては、外部メモリ２に記憶されている操作ビット信号を、「保存ビット信号」ともいう。保存ビット信号は、ビット信号である。
【００２８】
メッセージデータ２１は、保存ビット信号と表示対象のメッセージとを関連付けて示すデータである。アドレスデータ２２は、外部メモリ２と通信を行うために使用される、当該外部メモリ２にアクセスするためのアドレスを示す。
【００２９】
装置設定部１６は、詳細は後述するが、表示装置１０が、呼び出し用表示装置および管理用表示装置のいずれかとして動作するように設定する処理を行う。
【００３０】
通信部１２は、通信網３を介して、定期的またはイベントにより、外部メモリ２と通信を行う。通信部１２は、外部メモリ２に対して、アクセスを行なう。通信部１２は、記憶処理、クリア処理および読み出し処理を行う。以下においては、指定されたアドレスを、「指定アドレス」ともいう。指定アドレスは、例えば、アドレスデータ２２が示すアドレスである。また、以下においては、外部メモリ２のうち、指定アドレスにより特定される領域を、「指定領域」ともいう。
【００３１】
記憶処理では、通信部１２は、入力操作に対応する操作ビット信号を、外部メモリ２に記憶させる。具体的には、通信部１２は、外部メモリ２の指定領域に、操作ビット信号を記憶させる。
【００３２】
クリア処理では、通信部１２は、外部メモリ２の指定領域に記憶されている保存ビット信号（操作ビット信号）をクリア（消去）する。読み出し処理では、通信部１２は、外部メモリ２の指定領域に記憶されている保存ビット信号を読み出す。
【００３３】
情報処理部１４は、例えば、ＣＰＵ（Ｃｅｎｔｒａｌ  Ｐｒｏｃｅｓｓｉｎｇ  Ｕｎｉｔ）などのプロセッサーである。情報処理部１４は、ビット信号判定部２５およびメッセージ判定部２６を含む。
【００３４】
ビット信号判定部２５は、操作部１５ａが受付けた入力操作と、操作データ２０とに従って、後述する各種処理を行う。詳細は後述するが、ビット信号判定部２５は、例えば、操作部１５ａが受付けた入力操作と操作データ２０とに従って、外部メモリ２へ送信対象となる操作ビット信号を選択する。また、例えば、ビット信号判定部２５は、保存ビット信号のクリアを行なうための信号を選択する。
【００３５】
メッセージ判定部２６は、後述する各種処理を行う。詳細は後述するが、メッセージ判定部２６は、例えば、外部メモリ２から読み出された保存ビット信号に対応するメッセージを選択する。また、メッセージ判定部２６は、通信部１２が読み出した保存ビット信号に対応するメッセージとして、呼び出し用表示装置用のメッセージ、および、管理用表示装置用のメッセージのいずれかを選択する。
【００３６】
表示部１３は、コンテンツ表示部２３およびメッセージ表示部２４を含む。コンテンツ表示部２３は、記憶部１１に記憶されているコンテンツデータ１８と放映スケジュール１９に基づいて再生されたコンテンツを表示する。当該コンテンツは、例えば、動画、静止画などの映像である。
【００３７】
なお、コンテンツ表示部２３が表示するコンテンツは、動画、静止画などのコンテンツに限定されない。コンテンツ表示部２３が表示するコンテンツは、例えば、外部メモリ２に記憶されている、数値データ、ｗｅｂサーバに存在するｗｅｂコンテンツ等であってもよい。
【００３８】
メッセージ表示部２４は、後述する各種処理を行う。詳細は後述するが、メッセージ表示部２４は、メッセージ判定部２６により選択されたメッセージの表示、または、表示されているメッセージの消去を行なう。
【００３９】
なお、呼び出し用表示装置１０ｂ，１０ｃの各々の構成は、図２の呼び出し用表示装置１０ａの構成と同じである。また、管理用表示装置１０ｄの構成は、呼び出し用表示装置１０ａの構成と同じである。そこで、呼び出し用表示装置１０ａ，１０ｂ，１０ｃ、および管理用表示装置１０ｄの各々が備える構成要素を区別するために、以下のように、符号を定義する。
【００４０】
まず、表示装置１０が備える各構成要素の符号に、接尾記号「ａ」を追記した符号を有する当該構成要素を、呼び出し用表示装置１０ａの構成要素とする。例えば、表示装置１０の記憶部１１の符号「１１」に「ａ」が追記された符号「１１ａ」で特定される記憶部の符号は、「１１ａ」である。
【００４１】
そのため、図２のように、呼び出し用表示装置１０ａは、記憶部１１ａと、通信部１２ａと、表示部１３ａと、情報処理部１４ａと、操作部１５ａと、装置設定部１６ａとを備える。
【００４２】
また、記憶部１１ａは、基本プログラム１７ａ、コンテンツデータ１８ａ、放映スケジュール１９ａ、操作データ２０ａ、メッセージデータ２１ａおよびアドレスデータ２２ａを記憶している。情報処理部１４ａは、ビット信号判定部２５ａおよびメッセージ判定部２６ａを含む。表示部１３ａは、コンテンツ表示部２３ａおよびメッセージ表示部２４ａを含む。
【００４３】
また、表示装置１０が備える各構成要素の符号に、接尾記号「ｂ」を追記した符号を有する当該構成要素を、呼び出し用表示装置１０ｂの構成要素とする。また、表示装置１０が備える各構成要素の符号に、接尾記号「ｃ」を追記した符号を有する当該構成要素を、呼び出し用表示装置１０ｃの構成要素とする。また、表示装置１０が備える各構成要素の符号に、接尾記号「ｄ」を追記した符号を有する当該構成要素を、管理用表示装置１０ｄの構成要素とする。
【００４４】
そのため、例えば、図３のように、管理用表示装置１０ｄは、記憶部１１ｄと、通信部１２ｄと、表示部１３ｄと、情報処理部１４ｄと、操作部１５ｄと、装置設定部１６ｄとを備える。
【００４５】
また、記憶部１１ｄは、基本プログラム１７ｄ、コンテンツデータ１８ｄ、放映スケジュール１９ｄ、操作データ２０ｄ、メッセージデータ２１ｄおよびアドレスデータ２２ｄを記憶している。情報処理部１４ｄは、ビット信号判定部２５ｄおよびメッセージ判定部２６ｄを含む。表示部１３ｄは、コンテンツ表示部２３ｄおよびメッセージ表示部２４ｄを含む。
【００４６】
また、図示はしていないが、呼び出し用表示装置１０ｂおよび呼び出し用表示装置１０ｃの各々も、呼び出し用表示装置１０ａと同様に設定された符号で特定される構成要素を備える。
【００４７】
以下においては、表示装置１０が、呼び出し用表示装置として動作するように設定する処理を、「設定処理Ａ」ともいう。呼び出し用表示装置１０ａ，１０ｂ，１０ｃのいずれかとして動作する対象となる各表示装置１０の装置設定部１６は、予め設定処理Ａを行っている。
【００４８】
なお、各表示装置１０は、例えば、動作モードとして、呼び出し用モードと管理用モードとを有する。呼び出し用モードは、表示装置１０が呼び出し用表示装置として動作するモードである。管理用モードは、表示装置１０が管理用表示装置として動作するモードである。
【００４９】
設定処理Ａは、例えば、装置設定部１６が、表示装置１０の動作モードを呼び出し用モードに設定する処理である。設定処理Ａが行われた場合、呼び出し用表示装置１０ａ，１０ｂ，１０ｃにそれぞれ対応するアドレスデータ２２ａ，２２ｂ，２２ｃには、異なるアドレスが設定される。
【００５０】
例えば、図４（ａ）のように、アドレスデータ２２ａには、アドレスｍが設定される。また、例えば、図４（ｂ）のように、アドレスデータ２２ｂには、アドレス（ｍ＋１）が設定される。また、例えば、図４（ｃ）のように、アドレスデータ２２ｃには、アドレス（ｍ＋２）が設定される。
【００５１】
これにより、通信部１２ａ，１２ｂ，１２ｃの各々は、外部メモリ２の予め設定されたアドレスの指定領域のみに対し、ビット信号の読み出しおよび書きこみを行う。
【００５２】
なお、動作モードの設定は、例えば、操作部１５を使用した操作により行われる。そのため、当該動作モードの設定は簡単に行なうことができる。
【００５３】
なお、設定処理Ａは、上記の処理に限定されない。設定処理Ａは、例えば、装置設定部１６が、表示装置１０が呼び出し用表示装置として動作するための設定情報を、記憶部１１に記憶させる処理であってもよい。
【００５４】
また、以下においては、表示装置１０が、管理用表示装置として動作するように設定する処理を、「設定処理Ｂ」ともいう。管理用表示装置１０ｄとして動作する対象となる表示装置１０の装置設定部１６は、予め設定処理Ｂを行っている。設定処理Ｂは、例えば、装置設定部１６が、表示装置１０の動作モードを管理用モードに設定する処理である。設定処理Ｂが行われた場合、アドレスデータ２２ｄには、呼び出し用表示装置１０ａ，１０ｂ，１０ｃにそれぞれ対応するアドレスデータ２２ａ，２２ｂ，２２ｃに設定された全てのアドレスが設定される。
【００５５】
例えば、図４（ｄ）のように、アドレスデータ２２ｄには、呼び出し用表示装置毎に、当該呼び出し用表示装置に対応するアドレスデータが設定される。例えば、アドレスデータ２２ｄには、アドレスデータ２２ａのアドレスｍ、アドレスデータ２２ｂのアドレス（ｍ＋１）と、アドレスデータ２２ｃのアドレス（ｍ＋２）が設定される。
【００５６】
これにより、詳細は後述するが、通信部１２ｄは、外部メモリ２の全アドレスの領域を対象として、保存ビット信号を読み出す処理を行うことができる。また、通信部１２ｄは、例えば、入力操作に対応する操作ビット信号を外部メモリ２の指定領域に記憶させる。
【００５７】
なお、設定処理Ｂは、上記の処理に限定されない。設定処理Ｂは、例えば、装置設定部１６が、表示装置１０が管理用表示装置として動作するための設定情報を、記憶部１１に記憶させる処理であってもよい。
【００５８】
次に、表示装置１０の記憶部１１に記憶されている操作データ２０およびメッセージデータ２１について説明する。操作データ２０は、入力操作と、通信部１２が外部メモリ２に記憶させる対象となる操作ビット信号とを関連付けて示す。呼び出し用表示装置１０ａ，１０ｂ，１０ｃにそれぞれ対応する操作データ２０ａ，２０ｂ，２０ｃは、例えば、図５のように設定されている。
【００５９】
図５において、「ボタン０」から「ボタン８」は、例えば、リモコンに設けられた９個のボタンにそれぞれ相当する。入力操作が「ボタン０」である場合、当該入力操作は、例えば、「ボタン０」に関連付けられたボタン（例えば、リモコンのボタン）を操作者が押す操作である。
【００６０】
例えば、操作データ２０ａは、操作部１５ａが受付けた入力操作と、通信部１２ａが外部メモリ２に記憶させる対象となる操作ビット信号とを関連付けて示す。操作データ２０ｂ，２０ｃの各々も、操作データ２０ａと同様に設定される。
【００６１】
また、図５において、「操作ビット信号」の欄に示される値は、操作ビット信号に設定される値である。以下においては、値「ｎ」が設定されている操作ビット信号を、操作ビット信号「ｎ」と表現する。「ｎ」は整数である。例えば、操作ビット信号「３」は、「３」が設定された操作ビット信号である。
【００６２】
なお、操作ビット信号「ｎ」は、外部メモリ２のうち、指定されたアドレスにより特定される領域における、ＯＮに設定する対象となるビットｎを示す信号である。例えば、ｎが３である操作ビット信号「ｎ」は、指定されたアドレスにより特定される領域における、ビット３をＯＮに設定するための信号である。
【００６３】
また、メッセージデータ２１は、通信部１２が外部メモリ２から読み出した保存ビット信号（操作ビット信号）と、メッセージとを関連付けて示す。呼び出し用表示装置１０ａ，１０ｂ，１０ｃにそれぞれ対応するメッセージデータ２１ａ，２１ｂ，２１ｃは、例えば、図６のように設定されている。図６に示されるメッセージは、呼び出し用表示装置のメッセージ表示部２４が表示対象としているメッセージである。すなわち、図６に示されるメッセージは、呼び出し用表示装置用のメッセージ（以下、「呼び出し用メッセージ」ともいう）である。呼び出し用メッセージは、呼び出し用表示装置に割り当てられたメッセージである。
【００６４】
例えば、メッセージデータ２１ａは、通信部１２ａが外部メモリ２から読み出した保存ビット信号と、メッセージ表示部２４ａが表示対象としているメッセージとを関連付けて示す。メッセージデータ２１ｂ，２１ｃの各々も、メッセージデータ２１ａと同様に設定される。
【００６５】
管理用表示装置１０ｄの操作データ２０ｄは、例えば、図７のように設定されている。操作データ２０ｄは、操作部１５ｄで行われた入力操作と、通信部１２ｄが外部メモリ２に記憶させる対象となる操作ビット信号とを関連付けて示す。
【００６６】
また、メッセージデータ２１ｄは、例えば、図８のように設定されている。メッセージデータ２１ｄは、通信部１２ｄが外部メモリ２から読み出した保存ビット信号と、メッセージ表示部２４ｄが表示対象としているメッセージとを関連付けて示す。メッセージデータ２１ｄが示すメッセージは、管理用表示装置用のメッセージである。管理用表示装置用のメッセージは、管理用表示装置に割り当てられたメッセージである。
【００６７】
以下においては、外部メモリ２のうち、指定されたアドレスにより特定される領域における、ＯＮに設定されたビットｎを示す信号を、保存ビット信号「ｎ」と表現する。例えば、ｎが３である保存ビット信号「ｎ」は、指定されたアドレスにより特定される領域における、ＯＮに設定されたビット３を示す信号である。保存ビット信号「ｎ」は、値ｎを示す。
【００６８】
以下においては、呼び出し用表示装置の操作部１５が受付けた入力操作を、「入力操作Ｍｕ」ともいう。また、以下においては、管理用表示装置の操作部が受付けた入力操作を、「入力操作Ｍｋ」ともいう。
【００６９】
操作データ２０ａおよび操作データ２０ｄは、入力操作Ｍｕに対応する操作ビット信号と、入力操作Ｍｋに対応する操作ビット信号とを区別可能なように、設定される。
【００７０】
具体的には、図５および図７に示すように、入力操作Ｍｕに関連付けられた、操作ビット信号の値と、入力操作Ｍｋに関連付けられた、操作ビット信号の値とが異なるように、操作データ２０ａおよび操作データ２０ｄが設定される。
【００７１】
例えば、入力操作Ｍｕ（ボタン３）に関連付けられた、操作ビット信号の値「３」と、入力操作Ｍｋ（ボタン３）に関連付けられた、操作ビット信号の値「１１」とは異なる。これにより、通信部１２は、入力操作Ｍｕに対応する操作ビット信号と、入力操作Ｍｋに対応する操作ビット信号とを区別可能なように、当該操作ビット信号を前記外部メモリに記憶させる。
【００７２】
次に、表示システム１００が行なう処理（以下、「表示制御処理」ともいう）について説明する。表示制御処理は、表示システム１００が行なう表示制御方法である。以下の説明では、処理を分かりやすくするために、呼び出し用表示装置１０ａと、管理用表示装置１０ｄとにおける処理を説明する。以下においては、呼び出し用表示装置１０ａを操作する操作者を、「操作者Ｕ１」ともいう。
【００７３】
図９は、実施の形態１に係る表示システム１００が行う表示制御処理を説明するための図である。図１０は、実施の形態１に係る表示制御処理のフローチャートである。なお、図９に示されるステップ番号は、図１０に示されるステップ番号に対応する。
【００７４】
図９および図１０を参照して、まず、要求入力ステップＳ１が行われる。要求入力ステップＳ１では、呼び出し用表示装置１０ａの操作部１５ａが受付けた入力操作に基づいて、呼び出し用表示装置１０ａの通信部１２ａが、外部メモリ２に操作ビット信号を記憶させる。
【００７５】
具体的には、要求入力ステップＳ１では、まず、操作者Ｕ１が、呼び出し用表示装置１０ａの操作部１５ａに対し、入力操作としての要求操作を行う（ステップＳ１００）。
【００７６】
次に、ビット信号判定部２５ａが、要求操作および操作データ２０ａに基づいて、記憶対象の操作ビット信号を選択する。次に、ビット信号記憶処理が行われる（ステップＳ１０１）。ビット信号記憶処理では、通信部１２ａは、選択された操作ビット信号を、アドレスデータ２２ａに基づいて、外部メモリ２のうち、指定されたアドレスの領域に記憶させる。
【００７７】
ここで、操作者が、操作部１５ａに対し行った要求操作（入力操作）が「ボタン３」であると仮定する。この場合、ビット信号記憶処理では、ビット信号判定部２５ａは、図５の操作データ２０ａに基づいて、操作ビット信号「３」を選択する。
【００７８】
そして、通信部１２ａは、図４（ａ）のアドレスデータ２２ａに従って、操作ビット信号「３」を、外部メモリ２のアドレスｍの領域に送信する。これにより、外部メモリ２のアドレスｍの領域におけるビット３がＯＮに設定される。すなわち、外部メモリ２に操作ビット信号「３」が記憶される。以下においては、外部メモリ２に記憶されている操作ビット信号「ｎ」を、「保存ビット信号「ｎ」」と表現する。
【００７９】
要求入力ステップＳ１の後に要求メッセージ表示ステップＳ２が行われる。要求メッセージ表示ステップＳ２では、まず、呼び出し用表示装置１０ａの通信部１２ａが、当該呼び出し用表示装置１０ａの操作部１５ａが受付けた入力操作に対応する保存ビット信号（操作ビット信号）を外部メモリ２から読み出す（ステップＳ１０２）。
【００８０】
例えば、図９および図１０のように、通信部１２ａは、図４（ａ）のアドレスデータ２２ａに従い、外部メモリ２のアドレスｍの領域から、操作ビット信号「３」に相当する保存ビット信号「３」を読み出す。
【００８１】
以下においては、メッセージ判定部２６が選択対象とするメッセージを、「選択対象メッセージ」ともいう。選択対象メッセージは、例えば、メッセージ判定部２６ａが選択対象とするメッセージである。また、選択対象メッセージは、例えば、図６のメッセージデータ２１ａに示される各メッセージである。選択対象メッセージは、テキストで表現される。すなわち、選択対象メッセージは、テキストデータが示すメッセージである。
【００８２】
次に、呼び出し用表示装置１０ａのメッセージ表示部２４ａが保存ビット信号に対応する、当該呼び出し用表示装置１０ａ用のメッセージを表示する（ステップＳ１０３）。具体的には、まず、メッセージ判定部２６ａが、図６のメッセージデータ２１ａに基づいて、読み出された保存ビット信号に対応するメッセージを選択する。メッセージ表示部２４ａは、選択されたメッセージを表示する。
【００８３】
例えば、メッセージ判定部２６ａは、メッセージデータ２１ａに基づいて、保存ビット信号「３」に対応する「管理者呼び出し中です」というメッセージを選択する。メッセージ表示部２４ａは、「管理者呼び出し中です」というメッセージを表示する。
【００８４】
なお、管理用表示装置１０ｄでは、以下の処理が行われる。まず、管理用表示装置１０ｄの通信部１２ｄが、要求入力ステップＳ１において外部メモリ２に記憶された保存ビット信号（操作ビット信号）を当該外部メモリ２から読み出す。通信部１２ｄは、図４（ｄ）のアドレスデータ２２ｄに従い、外部メモリ２の全アドレスの領域を対象として、保存ビット信号を読み出す処理を行う（ステップＳ１０４）。
【００８５】
例えば、図９のように、通信部１２ｄは、外部メモリ２における、アドレスｍの領域、アドレス（ｍ＋１）の領域、および、アドレス（ｍ＋２）の領域を対象として、保存ビット信号を読み出す処理を行う。
【００８６】
なお、図９の場合、外部メモリ２にはアドレスｍの領域のみにデータが記憶されている。そのため、通信部１２ｄは、外部メモリ２のアドレスｍの領域から、操作ビット信号「３」に相当する保存ビット信号「３」を読み出す。
【００８７】
次に、管理用表示装置１０ｄのメッセージ表示部２４ｄが、読み出された保存ビット信号に対応する、管理用表示装置１０ｄ用のメッセージを表示する（ステップＳ１０５）。具体的には、メッセージ判定部２６ｄは、図８のメッセージデータ２１ｄに基づいて、読み出された保存ビット信号に対応するメッセージを選択する。メッセージ表示部２４ｄは、選択されたメッセージを表示する。
【００８８】
例えば、メッセージ判定部２６ｄは、メッセージデータ２１ｄに基づいて、通信部１２ｄが読み出した保存ビット信号「３」に対応する「管理者呼び出し中です」というメッセージを選択する。メッセージ表示部２４ｄは、「管理者呼び出し中です」というメッセージを表示する。
【００８９】
なお、管理用表示装置１０ｄの通信部１２ｄは、外部メモリ２の全アドレスの領域を、保存ビット信号の読み出し対象とする。そのため、どの呼び出し用表示装置のメッセージが表示されているのかが分かるようにしてもよい。例えば、図９のように、「管理者呼び出し中です」のメッセージの後に、呼び出し用表示装置を特定する文字「（１０ａ）」を追記してもよい。
【００９０】
ここで、仮に、呼び出し用表示装置１０ｂ，１０ｃからの要求操作によって、アドレス（ｍ＋１）のビット３、および、アドレス（ｍ＋２）のビット３も、ＯＮに設定されていると仮定する。この場合、メッセージ表示部２４ｄは、「管理者呼び出し中です（１０ａ）」、「管理者呼び出し中です（１０ｂ）」および「管理者呼び出し中です（１０ｃ）」という全てのメッセージを表示する。
【００９１】
次に、応答入力ステップＳ３が行われる。図１１は、実施の形態１に係る表示システム１００が行う表示制御処理を説明するための図である。図１２は、実施の形態１に係る表示制御処理のフローチャートである。なお、図１１に示されるステップ番号は、図１２に示されるステップ番号に対応する。以下においては、管理用表示装置１０ｄを操作する管理者を、「管理者Ｋ１」ともいう。
【００９２】
図１１および図１２を参照して、応答入力ステップＳ３では、管理用表示装置１０ｄの通信部１２ｄが、当該管理用表示装置１０ｄの操作部１５ｄが受付けた入力操作に対応する操作ビット信号を外部メモリ２に記憶させる。
【００９３】
具体的には、図１１および図１２のように、応答入力ステップＳ３では、まず、管理者Ｋ１が、管理用表示装置１０ｄの操作部１５ｄに対し、応答先の呼び出し用表示装置１０ａを選択する操作を行う。そして、操作部１５ｄに対し、入力操作としての応答操作を行う（ステップＳ１０６）。
【００９４】
次に、ビット信号判定部２５ｄが、応答操作および操作データ２０ｄに基づいて、記憶対象の操作ビット信号を選択する。次に、ビット信号記憶処理が行われる（ステップＳ１０７）。ビット信号記憶処理では、通信部１２ｄは、選択された操作ビット信号を、アドレスデータ２２ｄに基づいて、外部メモリ２のうち、指定されたアドレスの領域に記憶させる。
【００９５】
ここで、管理者Ｋ１が、呼び出し用表示装置１０ａを選択する操作を行い、操作部１５ｄに対し行った、応答操作（入力操作）が「ボタン０」であると仮定する。この場合、ビット信号記憶処理では、ビット信号判定部２５ｄは、図７の操作データ２０ｄに基づいて、操作ビット信号「８」を選択する。
【００９６】
そして、通信部１２ｄは、図４（ｄ）のアドレスデータ２２ｄに従って、操作ビット信号「８」を、外部メモリ２のアドレスｍの領域に送信する。これにより、外部メモリ２のアドレスｍの領域におけるビット８がＯＮに設定される。すなわち、外部メモリ２に操作ビット信号「８」が記憶される。
【００９７】
なお、ステップＳ１０７のビット信号記憶処理では、外部メモリ２における、指定アドレスの全ビットがＯＦＦに設定されてから、操作ビット信号が記憶されてもよい。この場合、複数のビットがＯＮに設定されることなく、指定アドレスにおいて、１つのビットのみがＯＮに設定される。
【００９８】
応答入力ステップＳ３の後に応答メッセージ表示ステップＳ４が行われる。応答メッセージ表示ステップＳ４では、まず、図１１および図１２のように、呼び出し用表示装置１０ａの通信部１２ａが、応答入力ステップＳ３において外部メモリ２に記憶された保存ビット信号（操作ビット信号）を外部メモリ２から読み出す（ステップＳ１０８）。
【００９９】
例えば、図１１および図１２のように、通信部１２ａは、アドレスデータ２２ａに従い、外部メモリ２のアドレスｍの領域から、操作ビット信号「３」に相当する保存ビット信号「３」と、操作ビット信号「８」に相当する保存ビット信号「８」とを読み出す。
【０１００】
次に、呼び出し用表示装置１０ａのメッセージ表示部２４ａが、読み出された保存ビット信号に対応する、当該呼び出し用表示装置１０ａ用のメッセージを表示する（ステップＳ１０９）。具体的には、メッセージ判定部２６ａは、図６のメッセージデータ２１ａに基づいて、読み出された保存ビット信号に対応するメッセージを選択する。メッセージ表示部２４ａは、選択されたメッセージを表示する。
【０１０１】
例えば、メッセージ判定部２６ａは、メッセージデータ２１ａに基づいて、自身が要求した保存ビット信号「３」に対応する「管理者呼び出し中です」というメッセージと、管理者Ｋ１の応答操作に対応する保存ビット信号「８」に対応する「待機してください」というメッセージとを選択する。メッセージ表示部２４ａは、図１１のように、「管理者呼び出し中です」というメッセージと、「待機してください」というメッセージとを表示する。
【０１０２】
なお、ステップＳ１０７のビット信号記憶処理では、外部メモリ２における、指定アドレスの全ビットがＯＦＦに設定されてから、操作ビット信号が記憶されてもよい。この場合、指定アドレスにおいて、ビット８のみがＯＮに設定されている。そのため、メッセージ表示部２４ａは、管理者Ｋ１の応答操作に対応する「待機してください」というメッセージのみを表示する。
【０１０３】
管理用表示装置１０ｄの通信部１２ｄは、図１１および図１２のように、図４（ｄ）のアドレスデータ２２ｄに従い、外部メモリ２の全アドレスの領域を対象として、保存ビット信号を読み出す処理を行う（ステップＳ１１０）。
【０１０４】
例えば、図１１のように、通信部１２ｄは、外部メモリ２における、アドレスｍの領域、アドレス（ｍ＋１）の領域、および、アドレス（ｍ＋２）の領域を対象として、保存ビット信号を読み出す処理を行う。
【０１０５】
なお、図１１の場合、外部メモリ２にはアドレスｍの領域のみにデータが記憶されている。そのため、通信部１２ｄは、外部メモリ２のアドレスｍの領域から、操作ビット信号「３」に相当する保存ビット信号「３」と、操作ビット信号「８」に相当する保存ビット信号「８」とを読み出す。
【０１０６】
次に、メッセージ判定部２６ｄは、図８のメッセージデータ２１ｄに基づいて、読み出された保存ビット信号に対応するメッセージを選択する。メッセージ表示部２４ｄは、選択されたメッセージを表示する。
【０１０７】
例えば、メッセージ判定部２６ｄは、メッセージデータ２１ｄに基づいて、通信部１２ｄが読み出した保存ビット信号「３」に対応する「管理者呼び出し中です」というメッセージを選択する。なお、当該メッセージは、すでにメッセージ表示部２４ｄに表示されているため、そのまま表示させておく。
【０１０８】
また、メッセージ判定部２６ｄは、メッセージデータ２１ｄに、通信部１２ｄが読み出した保存ビット信号「８」に対応するメッセージがないと判定する。そのため、メッセージ表示部２４ｄは、追加のメッセージは表示しない。
【０１０９】
次に、クリア入力ステップＳ５が行われる。図１３は、実施の形態１に係る表示システム１００が行う表示制御処理を説明するための図である。図１４は、実施の形態１に係る表示制御処理のフローチャートである。
【０１１０】
図１３および図１４を参照して、クリア入力ステップＳ５では、呼び出し用表示装置１０ａの操作部１５ａが受付けた入力操作に基づいて、当該呼び出し用表示装置１０ａの通信部１２ａが、外部メモリ２のうち、指定された領域に記憶されている全ての保存ビット信号をクリアする処理が行われる。
【０１１１】
具体的には、図１３および図１４のように、クリア入力ステップＳ５では、まず、操作者Ｕ１が、呼び出し用表示装置１０ａの操作部１５ａに対し、入力操作としてのクリア操作を行う（ステップＳ１１１）。クリア操作は、外部メモリ２のうち指定された領域に記憶されている全ての保存ビット信号をクリアし、メッセージ表示部２４により表示されているメッセージを消去するための操作である。
【０１１２】
次に、ビット信号判定部２５ａが、クリア操作および操作データ２０ａに基づいて、外部メモリ２のうち、指定された領域の全てのビットをＯＦＦに設定する操作ビット信号を選択する。次に、クリア処理が行われる（ステップＳ１１２）。クリア処理では、通信部１２ａが、アドレスデータ２２ａに基づいて、外部メモリ２の指定アドレスの全てのビットをＯＦＦに設定する。
【０１１３】
ここで、操作者Ｕ１が、操作部１５ａに対し行った、クリア操作（入力操作）が「ボタン８」であると仮定する。この場合、クリア処理では、ビット信号判定部２５ａは、図５の操作データ２０ａに基づいて、操作ビット信号「クリア」を選択する。操作ビット信号「クリア」は、外部メモリ２の指定アドレスの全てのビットをクリアするための信号である。
【０１１４】
そして、通信部１２ａは、図４（ａ）のアドレスデータ２２ａに従って、操作ビット信号「クリア」を、外部メモリ２のアドレスｍの領域に送信する。これにより、図１３のように、外部メモリ２のアドレスｍの領域における全てのビットがＯＦＦに設定される。すなわち、通信部１２ａは、外部メモリ２のうち、指定された領域に記憶されている全ての保存ビット信号をクリアする。
【０１１５】
クリア入力ステップＳ５の後にメッセージ消去ステップＳ６が行われる。メッセージ消去ステップＳ６では、呼び出し用表示装置１０ａおよび管理用表示装置１０ｄの各々のメッセージ表示部２４が、当該メッセージ表示部２４が表示しているメッセージを消去する。
【０１１６】
具体的には、図１３および図１４のように、メッセージ消去ステップＳ６では、呼び出し用表示装置１０ａの通信部１２ａは、図４（ａ）のアドレスデータ２２ａに従い、外部メモリ２の全アドレスの領域を対象として、保存ビット信号を読み出す処理を行う（ステップＳ１１３）。なお、この時、外部メモリ２の指定アドレスの全てのビットがＯＦＦに設定されている。そのため、通信部１２ａは保存ビット信号を読み出さない。
【０１１７】
メッセージ判定部２６ａは、通信部１２ａが保存ビット信号を読み出さなかったので、メッセージを何も選択しない。また、メッセージ表示部２４ａは、メッセージ判定部２６ａがメッセージを選択していないため、表示していたメッセージを消去する（ステップＳ１１４）。
【０１１８】
以上により、上記のクリア入力ステップＳ５およびメッセージ消去ステップＳ６では、操作部１５ａが受付けた入力操作がクリア操作である場合、当該メッセージ表示部２４ａは、当該メッセージ表示部２４ａが表示している当該メッセージを消去する。
【０１１９】
なお、管理用表示装置１０ｄでは、以下の処理が行われる。まず、図１３および図１４のように、管理用表示装置１０ｄの通信部１２ｄは、図４（ｄ）のアドレスデータ２２ｄに従い、外部メモリ２の領域を対象として、保存ビット信号を読み出す処理を行う（ステップＳ１１５）。なお、この時、外部メモリ２の指定アドレスの全てのビットがＯＦＦに設定されている。そのため、通信部１２ｄは保存ビット信号を読み出さない。
【０１２０】
メッセージ判定部２６ｄは、通信部１２ｄが保存ビット信号を読み出さなかったので、メッセージを何も選択しない。また、メッセージ表示部２４ｄは、メッセージ判定部２６ｄがメッセージを選択していないため、表示していたメッセージを消去する（ステップＳ１１６）。以上により、表示制御処理は終了する。
【０１２１】
なお、クリア入力ステップＳ５において、呼び出し用表示装置１０ａの操作部１５ａの代わりに管理用表示装置１０ｄの操作部１５ｄを利用して、クリア操作が行われる構成（以下、「構成Ｍ１」ともいう）としてもよい。
【０１２２】
構成Ｍ１におけるクリア入力ステップＳ５では、管理用表示装置１０ｄの操作部１５ｄが受付けた入力操作に基づいて、当該管理用表示装置１０ｄの通信部１２ｄが、外部メモリ２のうち、指定された領域に記憶されている全ての保存ビット信号をクリアする処理が行われる。
【０１２３】
構成Ｍ１におけるクリア入力ステップＳ５の処理は、前述したクリア入力ステップＳ５の処理の処理（Ｓ１１１，Ｓ１１２）と同様である。以下、簡単に説明する。
【０１２４】
まず、構成Ｍ１におけるクリア入力ステップＳ５では、まず、管理者Ｋ１が、管理用表示装置１０ｄの操作部１５ｄに対し、入力操作としてのクリア操作を行う。
【０１２５】
次に、ビット信号判定部２５ｄが、クリア操作および操作データ２０ｄに基づいて、外部メモリ２のうち、指定された領域の全てのビットをＯＦＦに設定する操作ビット信号を選択する。次に、クリア処理が行われる。構成Ｍ１におけるクリア処理では、通信部１２ｄが、アドレスデータ２２ｄに基づいて、外部メモリ２の指定アドレスの全てのビットをＯＦＦに設定する。
【０１２６】
ここで、管理者Ｋ１が、操作部１５ｄに対し行った、クリア操作（入力操作）が「ボタン８」であると仮定する。この場合、クリア処理では、ビット信号判定部２５ｄは、図７の操作データ２０ｄに基づいて、操作ビット信号「クリア」を選択する。操作ビット信号「クリア」は、外部メモリ２の指定アドレスの全てのビットをクリアするための信号である。
【０１２７】
そして、通信部１２ｄは、図４（ｄ）のアドレスデータ２２ｄに従って、操作ビット信号「クリア」を、外部メモリ２における、アドレスｍの領域、アドレス（ｍ＋１）の領域、および、アドレス（ｍ＋２）の領域に送信する。これにより、外部メモリ２における、アドレスｍの領域、アドレス（ｍ＋１）の領域、および、アドレス（ｍ＋２）の領域の各々において、全てのビットがＯＦＦに設定される。
【０１２８】
すなわち、通信部１２ａは、外部メモリ２のうち、指定された各領域に記憶されている全ての保存ビット信号をクリアする。構成Ｍ１では、クリア入力ステップＳ５の後に、前述と同様に、メッセージ消去ステップＳ６が行われる。
【０１２９】
以上説明したように、本実施の形態によれば、表示装置１０は、呼び出し用表示装置１０ａまたは管理用表示装置１０ｄとして動作可能である。管理用表示装置１０ｄは呼び出し用表示装置１０ａを管理する。メッセージ判定部２６は、呼び出し用表示装置１０ａ用のメッセージ、および、管理用表示装置１０ｄ用のメッセージのいずれかを選択する。メッセージ表示部２４は、メッセージ判定部２６により選択されたメッセージを表示する。
【０１３０】
すなわち、呼び出し用表示装置１０ａおよび管理用表示装置１０ｄは、役目が異なる２種類の表示装置である。また、表示装置１０のメッセージ表示部２４は、呼び出し用表示装置１０ａ用のメッセージ、および、管理用表示装置１０ｄ用のメッセージのいずれかを表示する。
【０１３１】
これにより、表示装置１０は、役目が異なる２種類の表示装置のいずれかに割り当てられたメッセージを表示することができる。
【０１３２】
また、本実施の形態によれば、特別な機材無しで、複数の表示装置間において、ピアツーピア（Ｐｅｅｒ  ｔｏ  Ｐｅｅｒ）通信のような処理を実現することができる。そのため、各表示装置において、情報案内表示機能および呼び出し機能の併用を実現することができる。すなわち、シンプルなシステム構成で、デジタルサイネージによる情報案内表示機能と呼び出し機能の併用を実現することができる。
【０１３３】
したがって、デジタルサイネージシステムの多様性および利便性を向上させることができる。また、表示システム１００の設置場所に応じて、ソフトウェア、ハードウェア等を変更せずに、容易に、表示するメッセージを変更できる。
【０１３４】
また、本実施の形態の表示システム１００は、呼び出し用表示装置１０ａ，１０ｂ，１０ｃと、管理用表示装置１０ｄとを含む。また、呼び出し用表示装置１０ａ，１０ｂ，１０ｃのいずれかの装置と外部メモリ２との間、または、管理用表示装置１０ｄと外部メモリ２との間において、互いに連動して、ビット信号の読み書きが行われる。これにより、操作者の入力操作によって、自動的に、メッセージの表示、メッセージの消去を行うことができる。
【０１３５】
また、本実施の形態の表示制御方法（表示制御処理）は、要求入力ステップ、要求メッセージ表示ステップ、応答入力ステップ、応答メッセージ表示ステップ、クリア入力ステップおよびメッセージ消去ステップを備える。これにより、操作者の要求操作およびクリア操作、管理者の応答操作等に伴うメッセージの表示を、各表示装置１０、および、外部メモリ２のみを利用した構成だけで実現することができる。
【０１３６】
なお、建屋内に設置される従来の情報処理システムでは、利用客が管理者を呼び出す場合、利用客が以下の呼び出し操作を行う必要がある。当該建屋は、例えば、店舗、オフィス、レストラン、工場などである。また、当該呼び出し操作は、例えば、利用客がボタンを押すという操作である。また、当該呼び出し操作は、例えば、利用客によるタッチパネルの操作である。
【０１３７】
従来の情報処理システムでは、呼び出し操作が行なわれた場合、呼び出し処理が行われる。当該呼び出し処理は、例えば、インターホンまたはチャイムを鳴らす処理である。また、当該呼び出し処理は、例えば、表示灯を光らせる処理である。
【０１３８】
そのため、従来の情報処理システムは、デジタルサイネージシステムとは異なる呼び出しシステムを構築する必要がある。そのため、当該呼び出しシステムの導入コストが高いという問題点がある。また、従来の情報処理システムは、建屋が拡張された場合、システムの追加、メンテナンス等を行なうことが容易ではないという問題点もある。
【０１３９】
そこで、本実施の形態の表示システム１００および表示装置１０は、上記の効果を奏するための構成を有する。そのため、本実施の形態の表示システム１００および表示装置１０により、上記の各問題点を解決することができる。
【０１４０】
（機能ブロック図）
図１５は、表示装置ＢＬ１０の特徴的な機能構成を示すブロック図である。なお、図１５には、説明のために外部メモリＢＬ２０も示されている。表示装置ＢＬ１０は、表示装置１０に相当する。つまり、図１５は、表示装置ＢＬ１０の有する機能のうち、本技術に関わる主要な機能を示すブロック図である。外部メモリＢＬ２０は、外部メモリ２に相当する。
【０１４１】
表示装置ＢＬ１０は、操作者に操作される呼び出し用表示装置、または、管理者に操作される管理用表示装置として動作可能な表示装置である。前記管理用表示装置は前記呼び出し用表示装置を管理する。
【０１４２】
表示装置ＢＬ１０は、機能的には、コンテンツ表示部ＢＬ１と、装置設定部ＢＬ２と、操作部ＢＬ３と、通信部ＢＬ４とを備える。
【０１４３】
コンテンツ表示部ＢＬ１は、コンテンツを表示する。コンテンツ表示部ＢＬ１は、コンテンツ表示部２３に相当する。装置設定部ＢＬ２は、表示装置ＢＬ１０が、前記呼び出し用表示装置および前記管理用表示装置のいずれかとして動作するように設定する処理を行う。装置設定部ＢＬ２は、装置設定部１６に相当する。操作部ＢＬ３は、前記操作者または前記管理者による操作を受付ける。操作部ＢＬ３は、操作部１５に相当する。
【０１４４】
通信部ＢＬ４は、操作部ＢＬ３が受付けた操作である入力操作に対応する操作ビット信号を、外部メモリＢＬ２０に記憶させる。通信部ＢＬ４は、通信部１２に相当する。
【０１４５】
通信部ＢＬ４は、前記呼び出し用表示装置の操作部ＢＬ３が受付けた前記入力操作に対応する前記操作ビット信号と、前記管理用表示装置の操作部ＢＬ３が受付けた前記入力操作に対応する前記操作ビット信号とを区別可能なように、当該操作ビット信号を外部メモリＢＬ２０に記憶させる。
【０１４６】
通信部ＢＬ４は、外部メモリＢＬ２０に記憶されている前記操作ビット信号である保存ビット信号を読み出す。
【０１４７】
表示装置ＢＬ１０は、機能的には、さらに、メッセージ判定部ＢＬ５と、メッセージ表示部ＢＬ６とを備える。
【０１４８】
メッセージ判定部ＢＬ５は、通信部ＢＬ４が読み出した前記保存ビット信号に対応するメッセージとして、前記呼び出し用表示装置用のメッセージ、および、前記管理用表示装置用のメッセージのいずれかを選択する。メッセージ判定部ＢＬ５は、メッセージ判定部２６に相当する。メッセージ表示部ＢＬ６は、メッセージ判定部ＢＬ５により選択された前記メッセージを表示する。メッセージ表示部ＢＬ６は、メッセージ表示部２４に相当する。
【０１４９】
なお、本発明は、その発明の範囲内において、実施の形態を適宜、変形、省略することが可能である。
【０１５０】
例えば、本実施の形態のステップＳ１０３，Ｓ１０５，Ｓ１０９の各々において、メッセージ判定部２６が選択対象とする選択対象メッセージは、テキストで表現される。しかしながら、これに限定されない。
【０１５１】
選択対象メッセージは、例えば、動画像または静止画像に示されるメッセージであってもよい。すなわち、選択対象メッセージは、動画像または静止画像の画像データが示すメッセージであってもよい。
【０１５２】
また、選択対象メッセージは、テキストで表現されるメッセージと、動画像または静止画像に示されるメッセージとの両方であってもよい。また、テキストデータのメッセージと、動画または静止画の画像データのメッセージとを必要に応じて切替え、切替えられたメッセージが、選択対象メッセージとして使用されてもよい。
【０１５３】
このように構成することで、デザイン、色等を工夫し、独自のメッセージ画像を作成することができる。そのため、表示内容の視認性を向上させることができる。
【０１５４】
また、例えば、表示装置１０は、図で示される全ての構成要素を含まなくてもよい。すなわち、表示装置１０は、本技術の効果を実現できる最小限の構成要素のみを含めばよい。
【０１５５】
なお、本技術は、表示装置１０が備える特徴的な構成部の動作をステップとする前述の表示制御方法として実現される。また、本技術は、そのような表示制御方法に含まれる各ステップをコンピュータに実行させるプログラムとして実現してもよい。また、本技術は、そのようなプログラムを格納するコンピュータ読み取り可能な記録媒体として実現されてもよい。また、当該プログラムは、インターネット等の伝送媒体を介して配信されてもよい。
【０１５６】
また、例えば、上記実施の形態で用いた全ての数値は、本技術を具体的に説明するための一例の数値である。すなわち、本技術は、上記実施の形態で用いた各数値に制限されない。
【符号の説明】
【０１５７】
２，ＢＬ２０  外部メモリ、１０，ＢＬ１０  表示装置、１０ａ，１０ｂ，１０ｃ  呼び出し用表示装置、１０ｄ  管理用表示装置、１２，１２ａ，１２ｂ，１２ｃ，１２ｄ，ＢＬ４  通信部、１５，１５ａ，１５ｂ，１５ｃ，１５ｄ，ＢＬ３  操作部、１６，１６ａ，１６ｂ，１６ｃ，１６ｄ，ＢＬ２  装置設定部、２３，２３ａ，２３ｂ，２３ｃ，２３ｄ，ＢＬ１  コンテンツ表示部、２４，２４ａ，２４ｂ，２４ｃ，２４ｄ，ＢＬ６  メッセージ表示部、２６，２６ａ，２６ｂ，２６ｃ，２６ｄ，ＢＬ５  メッセージ判定部、１００  表示システム。
【図１】
2020144263.tif 000003
【図２】
2020144263.tif 000004
【図３】
2020144263.tif 000005
【図４】
2020144263.tif 000006
【図５】
2020144263.tif 000007
【図６】
2020144263.tif 000008
【図７】
2020144263.tif 000009
【図８】
2020144263.tif 000010
【図９】
2020144263.tif 000011
【図１０】
2020144263.tif 000012
【図１１】
2020144263.tif 000013
【図１２】
2020144263.tif 000014
【図１３】
2020144263.tif 000015
【図１４】
2020144263.tif 000016
【図１５】
2020144263.tif 000017